(57)【要約】【課題】内箱収容外箱も店頭陳列物品の陳列に利用することができ、制限されたスペースでも多数の店頭陳列物品を陳列することができる梱包陳列システムを提供する。【解決手段】物品陳列状態では内箱収容外箱２００が開梱されて物品収容内箱１００と組み合され、その物品収容内箱１００に店頭陳列物品ＳＴＰが陳列される。ただし、物品陳列状態で複数の物品収容内箱１００と個々に組み合された複数の内箱収容外箱２００が上下方向に多段に組み合される。このため、内箱収容外箱２００も店頭陳列物品ＳＴＰの陳列に利用され、店頭陳列物品ＳＴＰが上下方向に多段に陳列される。【選択図】図１
2011207504.tif 000002
【特許請求の範囲】
【請求項１】
店頭陳列物品を収容する物品収容内箱と、少なくとも一個の前記物品収容内箱を収容する内箱収容外箱と、を有し、前記店頭陳列物品が前記物品収容内箱に収容されて前記内箱収容外箱に梱包された物品梱包状態と、前記内箱収容外箱と前記物品収容内箱とを利用して前記店頭陳列物品が陳列された物品陳列状態と、に可変される梱包陳列システムであって、
前記内箱収容外箱は、前記物品陳列状態では開梱されて前記物品収容内箱と組み合され、
前記物品収容内箱は、前記内箱収容外箱と組み合された前記物品陳列状態で前記店頭陳列物品が陳列され、
前記物品陳列状態で複数の前記物品収容内箱と個々に組み合された複数の前記内箱収容外箱が上下方向に多段に組み合される梱包陳列システム。
【請求項２】
前記内箱収容外箱は、前記物品梱包状態で一面が矩形の直方体状に形成されており、前記一面の矩形の開口が外周四辺の少なくとも一つから突出した凸片で封止されており、前記物品陳列状態で左右の少なくとも一方に突出された前記凸片が曲折または湾曲され、曲折または湾曲された前記凸片の先端が外面に連結されて筒状に形成され、
前記物品陳列状態で上下方向に多段に組み合される複数の前記内箱収容外箱の前記筒状の前記凸片に上下連結部材が挿通されている請求項１に記載の梱包陳列システム。
【請求項３】
前記上下連結部材は、筒状の前記凸片の内面に係合する筒状に形成されている請求項２に記載の梱包陳列システム。
【請求項４】
前記内箱収容外箱は、前記筒状の前記凸片から内側に係合突起が形成されており、
前記上下連結部材は、上端と下端との少なくとも一方に前記係合突起が係合する請求項３に記載の梱包陳列システム。
【請求項５】
前記上下連結部材は、上端と下端との少なくとも一方に前記係合突起が係合する係合凹部が形成されている請求項４に記載の梱包陳列システム。
【請求項６】
前記上下連結部材は、前記内箱収容外箱から分断された部分で形成されている請求項２ないし５の何れか一項に記載の梱包陳列システム。
【請求項７】
前記内箱収容外箱は、開梱により開口した前記一面が前記物品陳列状態で前面とされ、
前記物品収容内箱は、前記物品陳列状態では後部が前記内箱収容外箱の前面の開口に挿入されて下部に連結される請求項１ないし６の何れか一項に記載の梱包陳列システム。
【請求項８】
前記物品収容内箱は、後部上縁に凸部が形成されており、
前記内箱収容外箱は、前記物品収容内箱の後部上縁の前記凸部が係合する凹穴が前記開口の内面に形成されている請求項７に記載の梱包陳列システム。
【請求項９】
前記内箱収容外箱は、前記物品梱包状態で複数の前記物品収容内箱が収容され、
前記内箱収容外箱は、前記物品陳列状態では開梱されて収容されている前記物品収容内箱と同数以上に分断され、
分断された複数の前記内箱収容外箱は、前記物品陳列状態で収容されていた複数の前記物品収容内箱と個々に組み合され、
前記物品陳列状態で複数の前記物品収容内箱と個々に組み合された複数の前記内箱収容外箱が上下方向に多段に組み合される請求項１ないし８の何れか一項に記載の梱包陳列システム。
【請求項１０】
前記物品陳列状態で複数の前記物品収容内箱と個々に組み合された複数の前記内箱収容外箱が左右方向に多列に組み合される請求項１ないし９の何れか一項に記載の梱包陳列システム。
【請求項１１】
前記内箱収容外箱は、前記物品梱包状態で一面が矩形の直方体状に形成されており、前記一面の矩形の開口が外周四辺の少なくとも一つから突出した凸片で封止されており、前記物品陳列状態で上方に突出された前記凸片が曲折または湾曲され、曲折または湾曲された前記凸片の先端が外面に連結されて筒状に形成され、
左右方向に多列に組み合される複数の前記内箱収容外箱の前記筒状の前記凸片に左右連結部材が挿通されている請求項１０に記載の梱包陳列システム。
【請求項１２】
前記左右連結部材は、前記内箱収容外箱から分断された部分で形成されている請求項１１に記載の梱包陳列システム。
【発明の詳細な説明】
【技術分野】
【０００１】
本発明は、店頭陳列物品を梱包して搬送に利用される梱包陳列システムに関し、特に、開梱されて店頭陳列物品の陳列にも利用される梱包陳列システムに関する。
【背景技術】
【０００２】
現在、箱入菓子、文房具、タバコパッケージ、タバコパッケージが同梱されるノベルティグッズ、等の各種の店頭陳列物品が、サプライチェーン店舗であるコンビニエンスストアなどの各種店舗で、店頭に陳列されて販売されている。
【０００３】
このような店頭陳列物品は、一般的に物品梱包容器に梱包されて搬送されている。そこで、このような店頭陳列物品を店頭に陳列する場合には、物品梱包容器を開梱し、専用や汎用の什器に陳列する。
【０００４】
しかし、これでは物品梱包容器と什器とを別個に用意する必要がある。また、物品梱包容器を廃棄する必要がある。さらに、物品梱包容器を開梱して店頭陳列物品を什器に陳列する作業が煩雑である。
【０００５】
上述のような課題を解決するため、開梱した物品梱包容器で店頭陳列物品を陳列できるようにする提案があり、実際に実施されている。例えば、商品陳列作業を短時間で行なうことができ、かつ、内部に商品を収容した状態でも容易な運送が可能となる商品陳列装置の提案がある。
【０００６】
その技術は、複数の筆記具用部品を収容した商品陳列装置であり、正面板と、第一側面板と、第二側面板と、背面板と、天面板と、底面板とからなる。背面板を上方に延長し、背面板の上端部に、天面板より上方に突出する突出片部を形成する。
【０００７】
突出片部に、吊下陳列用フックが係合可能な係合孔を設ける。ミシン目を、正面板と、第一側面板と、第二側面板とに設ける。天面板と、正面板上端部と、第一側面板の正面側上端部と、第二側面板の正面側上端部とをミシン目に沿って切断除去可能に構成する(特許文献１)。
【０００８】
また、三枚のピースを接合して箱側面が八角形で、全体が十面体の外観形状をした視覚デザイン性およびハンドリング性に富み、店頭開封時に多段陳列可能な包装箱の提案もある。
【０００９】
その包装箱は、二枚で一組のサイドパネルと、一枚のボディーパネルで組み立てられる。サイドパネルは、本体パネルと、左右側片と、蓋フラップとを備え、ボディーパネルは、八角形の底面パネルと、前後パネルと蓋フラップとを順次連接してなり、底面パネルの左右に左右つなぎ片を、前後パネルの左右にサイドパネルの左右側片と重合する左右つなぎ片とを、それぞれ備える(特許文献２)。
【先行技術文献】
【特許文献】
【００１０】
【特許文献１】特開２００８−２８５２２０号公報
【特許文献２】特開２００８−０１３２４４号公報
【発明の概要】
【発明が解決しようとする課題】
【００１１】
上述のように物品梱包容器を、店頭陳列物品の陳列に利用する各種の提案がある。しかし、特許文献１の技術では、店頭陳列物品を平坦に陳列することにしか利用できず、上下方向に多段に陳列することができない。
【００１２】
特許文献２の技術では、店頭陳列物品を上下方向に多段に陳列することができる。しかし、特許文献１，２の技術は、何れも複数個の店頭陳列物品を収容する物品収容内箱を什器として利用するものでしかない。
【００１３】
一般的に小型の店頭陳列物品は、複数が物品収容内箱に収容され、複数の物品収容内箱が大型の内箱収容外箱に収容される。このような物品梱包状態で小型の多数の店頭陳列物品は移送される。
【００１４】
しかし、上述のような構造の物品梱包容器では、物品収容内箱を店頭陳列物品の陳列に利用しても、大型の内箱収容外箱は廃棄されている。この廃棄はエコロジカルではなく、好ましくない。
【００１５】
本発明は上述のような課題に鑑みてなされたものであり、内箱収容外箱も店頭陳列物品の陳列に利用することができ、制限されたスペースでも多数の店頭陳列物品を陳列することができる梱包陳列システムを提供するものである。
【課題を解決するための手段】
【００１６】
本発明の梱包陳列システムは、店頭陳列物品を収容する物品収容内箱と、少なくとも一個の物品収容内箱を収容する内箱収容外箱と、を有し、店頭陳列物品が物品収容内箱に収容されて内箱収容外箱に梱包された物品梱包状態と、内箱収容外箱と物品収容内箱とを利用して店頭陳列物品が陳列された物品陳列状態と、に可変される梱包陳列システムであって、内箱収容外箱は、物品陳列状態では開梱されて物品収容内箱と組み合され、物品収容内箱は、内箱収容外箱と組み合された物品陳列状態で店頭陳列物品が陳列され、物品陳列状態で複数の物品収容内箱と個々に組み合された複数の内箱収容外箱が上下方向に多段に組み合される。
【００１７】
従って、本発明の梱包陳列システムでは、物品陳列状態では内箱収容外箱が開梱されて物品収容内箱と組み合され、その物品収容内箱に店頭陳列物品が陳列される。ただし、物品陳列状態で複数の物品収容内箱と個々に組み合された複数の内箱収容外箱が上下方向に多段に組み合される。このため、内箱収容外箱も店頭陳列物品の陳列に利用され、店頭陳列物品が上下方向に多段に陳列される。
【００１８】
また、上述のような梱包陳列システムにおいて、内箱収容外箱は、物品梱包状態で一面が矩形の直方体状に形成されており、一面の矩形の開口が外周四辺の少なくとも一つから突出した凸片で封止されており、物品陳列状態で左右の少なくとも一方に突出された凸片が曲折または湾曲され、曲折または湾曲された凸片の先端が外面に連結されて筒状に形成され、物品陳列状態で上下方向に多段に組み合される複数の内箱収容外箱の筒状の凸片に上下連結部材が挿通されていてもよい。
【００１９】
また、上述のような梱包陳列システムにおいて、上下連結部材は、筒状の凸片の内面に係合する筒状に形成されていてもよい。
【００２０】
また、上述のような梱包陳列システムにおいて、内箱収容外箱は、筒状の凸片から内側に係合突起が形成されており、上下連結部材は、上端と下端との少なくとも一方に係合突起が係合してもよい。
【００２１】
また、上述のような梱包陳列システムにおいて、上下連結部材は、上端と下端との少なくとも一方に係合突起が係合する係合凹部が形成されていてもよい。
【００２２】
また、上述のような梱包陳列システムにおいて、上下連結部材は、内箱収容外箱から分断された部分で形成されていてもよい。
【００２３】
また、上述のような梱包陳列システムにおいて、内箱収容外箱は、開梱により開口した一面が物品陳列状態で前面とされ、物品収容内箱は、物品陳列状態では後部が内箱収容外箱の前面の開口に挿入されて下部に連結されてもよい。
【００２４】
また、上述のような梱包陳列システムにおいて、物品収容内箱は、後部上縁に凸部が形成されており、内箱収容外箱は、物品収容内箱の後部上縁の凸部が係合する凹穴が開口の内面に形成されていてもよい。
【００２５】
また、上述のような梱包陳列システムにおいて、内箱収容外箱は、物品梱包状態で複数の物品収容内箱が収容され、内箱収容外箱は、物品陳列状態では開梱されて収容されている物品収容内箱と同数以上に分断され、分断された複数の内箱収容外箱は、物品陳列状態で収容されていた複数の物品収容内箱と個々に組み合され、物品陳列状態で複数の物品収容内箱と個々に組み合された複数の内箱収容外箱が上下方向に多段に組み合されてもよい。
【００２６】
また、上述のような梱包陳列システムにおいて、物品陳列状態で複数の物品収容内箱と個々に組み合された複数の内箱収容外箱が左右方向に多列に組み合されてもよい。
【００２７】
また、上述のような梱包陳列システムにおいて、内箱収容外箱は、物品梱包状態で一面が矩形の直方体状に形成されており、一面の矩形の開口が外周四辺の少なくとも一つから突出した凸片で封止されており、物品陳列状態で上方に突出された凸片が曲折または湾曲され、曲折または湾曲された凸片の先端が外面に連結されて筒状に形成され、左右方向に多列に組み合される複数の内箱収容外箱の筒状の凸片に左右連結部材が挿通されていてもよい。
【００２８】
また、上述のような梱包陳列システムにおいて、左右連結部材は、内箱収容外箱から分断された部分で形成されていてもよい。
【００２９】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３０】
本発明の梱包陳列システムでは、物品陳列状態で複数の物品収容内箱と個々に組み合された複数の内箱収容外箱が上下方向に多段に組み合される。このため、内箱収容外箱を店頭陳列物品の陳列に利用することができるので、内箱収容外箱を廃棄する必要がなくエコロジカルとなる。しかも、店頭陳列物品を上下方向に多段に陳列することができるので、コンビニエンスストアなどのように制限されたスペースでも多数の店頭陳列物品を陳列することができる。
【図面の簡単な説明】
【００３１】
【図１】本発明の実施の形態の梱包陳列システムの物品陳列状態の組立構造を示す分解斜視図である。
【図２】下側の梱包陳列システムの物品梱包状態の組立構造を示し、(ａ)は分解斜視図、(ｂ)は斜視図、である。
【図３】上側の梱包陳列システムの物品梱包状態の組立構造を示し、(ａ)は分解斜視図、(ｂ)は斜視図、である。
【図４】下側の内箱収容外箱の物品梱包状態の組立構造を示す斜視図である。
【図５】上側の内箱収容外箱の物品梱包状態および上下連結部材の組立構造を示し、(ａ)は分解斜視図、(ｂ)は斜視図、である。
【図６】上側の内箱収容外箱と上下連結部材との組立構造を示し、(ａ)は分解斜視図、(ｂ)は斜視図、である。
【図７】梱包陳列システムの物品陳列状態の外観を示す斜視図である。
【図８】一の変形例の梱包陳列システムの物品梱包状態の外観を示す分解斜視図である。
【図９】梱包陳列システムの物品陳列状態の組立構造を示す分解斜視図である。
【図１０】梱包陳列システムの物品陳列状態の外観を示す斜視図である。
【図１１】他の変形例の梱包陳列システムの物品陳列状態の外観を示す斜視図である。
【図１２】さらに他の変形例の梱包陳列システムの組立構造を示す分解斜視図である。
【図１３】梱包陳列システムの物品陳列状態の外観を示す斜視図である。
【図１４】さらに他の変形例の梱包陳列システムの物品陳列状態の外観を示す斜視図である。
【発明を実施するための形態】
【００３２】
本発明の実施の一形態を図１および図２を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００３３】
本実施の形態の梱包陳列システム１０００は、図１および図２に示すように、店頭陳列物品ＳＴＰを収容する物品収容内箱１００と、少なくとも一個の物品収容内箱１００を収容する内箱収容外箱２００(Ｈ，Ｌ)と、を有する。
【００３４】
梱包陳列システム１０００は、図２に示すように、店頭陳列物品ＳＴＰが物品収容内箱１００に収容されて内箱収容外箱２００に梱包された物品梱包状態と、図１に示すように、内箱収容外箱２００と物品収容内箱１００とを利用して店頭陳列物品ＳＴＰが陳列された物品陳列状態と、に可変される。
【００３５】
内箱収容外箱２００は、物品陳列状態では開梱されて物品収容内箱１００と組み合され、物品収容内箱１００は、内箱収容外箱２００と組み合された物品陳列状態で店頭陳列物品ＳＴＰが陳列され、物品陳列状態で複数の物品収容内箱１００と個々に組み合された複数の内箱収容外箱２００が上下方向に多段に組み合される。
【００３６】
本実施の形態では、複数の梱包陳列システム１０００の内箱収容外箱２００が上下方向に多段に組み合される。このため、本実施の形態では、図２に示すように、下側の梱包陳列システム１０００Ｌと、図３に示すように、上側の梱包陳列システム１０００Ｈと、がある。
【００３７】
内箱収容外箱２００は、図２および図３に示すように、物品梱包状態で一面が矩形の直方体状に形成されており、一面の矩形の開口２０４が外周四辺から突出した凸片２０１，２０２で封止されている。
【００３８】
内箱収容外箱２００は、図４および図５に示すように、物品陳列状態で左右に突出された凸片２０２が曲折され、曲折された凸片２０１の先端が外面に連結されて三角筒状に形成される。
【００３９】
本実施の形態の梱包陳列システム１０００では、図１ないし図３に示すように、内箱収容外箱２００は、凸片２０１，２０２の開梱により開口した外箱本体部分２０３の一面が物品陳列状態で前面とされる。
【００４０】
内箱収容外箱２００は、図１ないし図５に示すように、物品陳列状態で曲折用のミシン目２０６が上方の凸片２０１に左右方向に形成されており、左右の凸片２０２に上下方向に形成されている。
【００４１】
凸片２０１，２０２の先端にはＴ字型の連結凸部２０７も形成されており、この連結凸部２０７が挿入されて連結されるＴ字状の連結凹穴２０８が上面と側面とにミシン目で形成されている。
【００４２】
図１および図４および図５に示すように、左右の凸片２０２は、物品陳列状態で外側である左右に各々突出され、ミシン目２０６で後方に曲折されて連結凸部２０７と連結凹穴２０８とで左右の側面に外側から先端が各々連結される。
【００４３】
ただし、上側の内箱収容外箱２００Ｈでは、物品陳列状態で上方の凸片２０１は外側である上方に突出され、ミシン目２０６で後方に曲折されて連結凸部２０７と連結凹穴２０８とで先端が上面に外側から連結される。
【００４４】
しかし、下側の内箱収容外箱２００Ｌでは、物品陳列状態で上方の凸片２０１は内側である下方に突出され、ミシン目２０６で後方に曲折されて連結凸部２０７と連結凹穴２０８とで先端が上面に内側から連結される。
【００４５】
図１および図４に示すように、下側の内箱収容外箱２００Ｌでは、物品陳列状態で下側の凸片２０１は前方に突出される。しかし、図３に示すように、上側の内箱収容外箱２００Ｈでは、図５に示すように、物品陳列状態で下側の凸片２０１は外箱本体部分２０３から分断される。
【００４６】
この分断された上側の内箱収容外箱２００Ｈの凸片２０１が、さらに二つに分断され、ミシン目２０６で三角筒状に曲折されることで、一対の上下連結部材２２０が形成される。
【００４７】
そして、本実施の形態の梱包陳列システム１０００では、図１に示すように、物品陳列状態で上下方向に多段に組み合される複数の内箱収容外箱２００の三角筒状の凸片２０１，２０２に上下連結部材２２０が挿通されている。
【００４８】
このような上下連結部材２２０は、前述のように三角筒状の凸片２０１，２０２の内面に係合する三角筒状に形成されている。なお、内箱収容外箱２００は、図６等に示すように、三角筒状の凸片２０１，２０２から内側に係合突起２０５がミシン目で形成されており、上下連結部材２２０は、上端と下端とに係合突起２０５が係合する係合凹部２２１がミシン目で形成されている。
【００４９】
上述の係合突起２０５のミシン目は、図２に示すように、下側の内箱収容外箱２００では物品梱包状態での側面と左右の凸片２０２との前方に、図３に示すように、内箱収容外箱２００では物品梱包状態での側面と左右の凸片２０２とに、各々形成されている。
【００５０】
図１および図７に示すように、物品収容内箱１００は、物品陳列状態では後部が内箱収容外箱２００の前面の開口２０４の下部に挿入されて連結される。より具体的には、物品収容内箱１００は、後部上縁に凸部１０３が形成されており、内箱収容外箱２００は、物品収容内箱１００の後部上縁の凸部１０３が係合する凹穴２０９が開口２０４の内面に形成されている。
【００５１】
このため、物品収容内箱１００は、後部上縁の凸部１０３が凹穴２０９に係合することにより、内箱収容外箱２００の下部に後部が連結される。なお、左右の凸片２０２の連結凸部２０７を物品収容内箱１００の側部上縁に係合させることで、より強固に内箱収容外箱２００の下部に物品収容内箱１００の後部を連結してもよい(図示せず)。
【００５２】
また、物品収容内箱１００は、内箱本体部分１０１の内部が仕切１０２により左右方向で二列に区分されており、物品梱包状態では、そこに店頭陳列物品ＳＴＰが上下方向に複数が積載された状態で、前後方向に複数行に収容される。
【００５３】
なお、本実施の形態の梱包陳列システム１０００では、内箱収容外箱２００は、物品陳列状態で内箱収容外箱２００と組み合されて露出する凸片２０１，２０２の内面に、店頭陳列物品ＳＴＰと関連する情報である図柄ＴＣＭがカラー印刷などで表記されている。また、物品収容内箱１００は、物品陳列状態で内箱収容外箱２００と組み合されて前方に露出する前面に、図柄ＴＣＭがカラー印刷などで表記されている。
【００５４】
この図柄ＴＣＭは、店頭陳列物品ＳＴＰと関連する情報であればよく、例えば、店頭陳列物品ＳＴＰの広告、店頭陳列物品ＳＴＰの説明、店頭陳列物品ＳＴＰの注意書き、店頭陳列物品ＳＴＰを予測される図案や配色、等からなる。
【００５５】
本実施の形態では、店頭陳列物品ＳＴＰは、タバコパッケージ(図示せず)と組み合される携帯灰皿等のノベルティグッズなどからなる。このような店頭陳列物品ＳＴＰは、タバコパッケージとは別個に梱包陳列システム１０００に梱包されてコンビニエンスストアなどの店舗まで移送され、店舗でタバコパッケージと同梱される。
【００５６】
このような店頭陳列物品ＳＴＰは、開梱された内箱収容外箱２００から取り出され、例えば、タバコパッケージが同梱されてから、図１および図７に示すように、物品陳列状態の物品収容内箱１００に前方から後方まで立設した状態で二列に収容される。
【００５７】
そこで、店頭陳列物品ＳＴＰと関連する図柄ＴＣＭは、例えば、店頭陳列物品ＳＴＰと組み合されるタバコパッケージの広告や、タバコパッケージに店頭陳列物品ＳＴＰが同梱されていることの案内メッセージなどからなる。
【００５８】
物品梱包状態では、上述のように店頭陳列物品ＳＴＰが収容された物品収容内箱１００が、開梱されている内箱収容外箱２００の外箱本体部分２０３の矩形の上面開口から内部に収容される。
【００５９】
図２(ｂ)および図３(ｂ)に示すように、このような状態で内箱収容外箱２００の上面開口が外周四辺から突出している凸片２０１，２０２で閉止され、例えば、左右一対の凸片２０２が粘着テープＡＧＴで封止される。当然ながら、この粘着テープＡＧＴは凸片２０２の外面に貼着されるので、図柄ＴＣＭが表記されている内面に影響することはない。
【００６０】
このように店頭陳列物品ＳＴＰを梱包した物品梱包状態の梱包陳列システム１０００が、例えば、製造メーカからコンビニエンスストアなどの店舗まで移送される。この移送の過程で内箱収容外箱２００の外面は擦過等されることがあるが、やはり図柄ＴＣＭが表記されている内面に影響することはない。
【００６１】
このような物品梱包状態の梱包陳列システム１０００が店舗に到着すると、粘着テープＡＧＴが引き剥がされたり切断されるなどして、図２(ａ)および図３(ａ)に示すように、内箱収容外箱２００が開梱される。
【００６２】
上述のような物品陳列状態の梱包陳列システム１０００は、二個の梱包陳列システム１０００Ｌ，１０００Ｈからなり、コンビニエンスストアなどの店舗で店頭陳列物品ＳＴＰの、いわゆる什器として利用される。
【００６３】
そして、従来は廃棄していた内箱収容外箱２００も廃棄することなく店頭陳列物品ＳＴＰの陳列に利用するので、本実施の形態の梱包陳列システム１０００はエコロジカルである。
【００６４】
しかも、物品収容内箱１００が上下二段となるので、一個の占有面積に二倍の店頭陳列物品ＳＴＰを陳列することができる。このため、コンビニエンスストアなどのように設置スペース数に制限がある場合に好適である。
【００６５】
特に、内箱収容外箱２００Ｌ，２００Ｈは、物品収容内箱１００を梱包するために従来から必須の凸片２０２が三角筒状に曲折されるので、これで上下方向の強度が確保される。
【００６６】
そして、このような上下の三角筒状の左右の凸片２０２が、同様に三角筒状の上下連結部材２２０で連結される。このため、下側と上側との内箱収容外箱２００Ｌ，２００Ｈが堅固に連結される。
【００６７】
しかも、このような上下連結部材２２０は、上述のように上下連結することで不要となる上側の内箱収容外箱２００Ｈの下方の凸片２０１から形成される。このため、上下連結部材２２０を別途用意する必要がない。
【００６８】
さらに、図６に示すように、下側と上側との内箱収容外箱２００Ｌ，２００Ｈの三角筒状の左右の凸片２０２の内側に係合突起２０５が突出され、この係合突起２０５が上下連結部材２２０の上端と下端との係合凹部２２１に係合する。
【００６９】
このため、上下連結部材２２０が下側の内箱収容外箱２００Ｌの三角筒状の凸片２０２の内部下方に落ち込むようなことがなく、下側と上側との内箱収容外箱２００Ｌ，２００Ｈの三角筒状の左右の凸片２０２を強固に連結することができる。
【００７０】
なお、図６に示すように、上側の内箱収容外箱２００Ｈの係合突起２０５は下端が先鋭に傾斜しており、下側の内箱収容外箱２００Ｌの係合突起２０５は上端が先鋭に傾斜している。このため、係合突起２０５は上下連結部材２２０の係合凹部２２１に容易に挿入されて係合する。
【００７１】
さらに、本実施の形態の梱包陳列システム１０００では、陳列される店頭陳列物品ＳＴＰの外側に位置する内箱収容外箱２００の凸片２０１，２０２や、物品収容内箱１００の前面などに、店頭陳列物品ＳＴＰに関連する図柄ＴＣＭがカラー印刷などで表記されている。このため、顧客(図示せず)を良好に訴求することができる。
【００７２】
なお、上述のように内箱収容外箱２００は移送の過程で外面が擦過されたり粘着テープが貼着されたりするが、図柄ＴＣＭは凸片２０１，２０２の内面に表記されているので移送の過程で損傷されることがない。
【００７３】
しかも、このような凸片２０１，２０２は、物品収容内箱１００を梱包するために従来から必須の構成である。このため、図柄ＴＣＭを提示するために特別な部分を内箱収容外箱２００に追加する必要がない。
【００７４】
また、三角筒状の凸片２０１，２０２により、図柄ＴＣＭの訴求効果を向上させることが期待できる。さらに、凸片２０１，２０２の図柄ＴＣＭを後方にも配置できるので、物品陳列状態の梱包陳列システム１１００が顧客に後方から視認されたときも店頭陳列物品ＳＴＰを訴求することができる。
【００７５】
また、図２および図３に示すように、物品収容内箱１００は内箱収容外箱２００に隙間なく収容される外形に形成されている。従って、図１に示すように、開口が前面に位置するように立設させた内箱収容外箱２００の下部に、物品収容内箱１００の後部を隙間なく配置することができる。
【００７６】
なお、本発明は本実施の形態に限定されるものではなく、その要旨を逸脱しない範囲で各種の変形を許容する。例えば、上記形態では二個の梱包陳列システム１０００Ｌ，１０００Ｈを上下に組み合わせることで、物品収容内箱１００が二段の梱包陳列システム１０００が形成されることを例示した。しかし、下側の梱包陳列システム１０００Ｌを複数とすることで、物品収容内箱１００が三段以上の梱包陳列システム(図示せず)を形成することもできる。
【００７７】
また、上記形態では二個の梱包陳列システム１０００Ｌ，１０００Ｈを上下に組み合わせることで、一個の梱包陳列システム１０００が形成されることを例示した。しかし、図８ないし図１０に例示する梱包陳列システム１１００のように、内箱収容外箱２００に二個の物品収容内箱１００が収容されており、物品梱包状態で前後対象に形成されている内箱収容外箱２００が前後方向に二個に分断され、図９に示すように、この分断された二個の内箱収容外箱２００Ｌ，２００Ｈが上下方向に連結されてもよい。
【００７８】
この場合、図８に示すように、上下連結部材２２０は、例えば、内箱収容外箱２００の物品陳列状態で開封されず利用されない、内側の凸片２０１などから形成することができる。
【００７９】
このような梱包陳列システム１１００は、一個で物品収容内箱１００が二段の構造を実現することができる。しかも、全高も上記形態の梱包陳列システム１０００の略半分とすることができるので、コンビニエンスストアなどのように、陳列場所の全高にも制限がある場合でも利用することができる。
【００８０】
さらに、上記形態では内箱収容外箱２００の物品陳列状態で左右の凸片２０２を上下連結部材２２０とともに三角筒状に曲折することを例示した。しかし、このような凸片２０２や上下連結部材２２０を四角筒状や六角筒状に曲折してもよい。
【００８１】
さらに、図１１に例示する梱包陳列システム１２００のように、内箱収容外箱２００の物品陳列状態で左右の凸片２０２を上下連結部材(図示せず)とともに半円筒状に湾曲させてもよく、円筒状に湾曲させてもよい(図示せず)。
【００８２】
また、複数の梱包陳列システム１３００ａ，１３００ｂを左右方向に連結してもよい。その場合、単純に配列するだけでもよいが、図１２に示すように、例えば、相対する左右の凸片２０２を切除して山型の左右連結部材２３０を形成し、この左右連結部材２３０を左右の梱包陳列システム１３００ａ，１３００ｂの上方の凸片２０１に挿入し、図１３に示すように、一個の梱包陳列システム１３００を実現してもよい。
【００８３】
この場合、物品収容内箱１００が上下左右に配列されるので、多量の店頭陳列物品ＳＴＰを陳列することができる。さらに、四個の内箱収容外箱２００が上下左右に連結されるので、梱包陳列システム１３００の全体を一体として取り扱うことができる。当然ながら、左右方向に三個以上の梱包陳列システムを配列して連結してもよい(図示せず)。
【００８４】
また、上記形態では物品収容内箱１００に店頭陳列物品ＳＴＰが二列に収容されることを例示した。しかし、物品収容内箱１００に店頭陳列物品ＳＴＰが一列に収容されてもよく、三列以上に収容されてもよい(図示せず)。
【００８５】
さらに、上記形態では一個の物品収容内箱１００に二列の店頭陳列物品ＳＴＰが収容されることを例示した。しかし、店頭陳列物品ＳＴＰ一列に収容される幅狭の物品収容内箱が内箱収容外箱に二列に収容されてもよく、これが三列以上でもよい(図示せず)。
【００８６】
また、上記形態では店頭陳列物品ＳＴＰがタバコパッケージと同梱される携帯灰皿等のノベルティグッズなどからなることを例示した。しかし、このような店頭陳列物品ＳＴＰが、菓子パッケージなどであってもよい。
【００８７】
さらに、上記形態では部品陳列状態で正面に位置する、凸片２０１，２０２の内面や物品収容内箱１００の前面に、図柄ＴＣＭが表記されていることを例示した。しかし、図１４に例示する梱包陳列システム２０００のように、さらに内箱収容外箱２００の部品陳列状態での内部前面に図柄ＴＣＭが表記されていてもよい。
【００８８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８９】
１００    物品収容内箱
１０１    内箱本体部分
１０２    仕切
１０３    凸部
１１０    物品収容内箱
２００    内箱収容外箱
２００Ｌ，２００Ｈ    内箱収容外箱
２０１    凸片
２０２    凸片
２０３    外箱本体部分
２０４    開口
２０５    係合突起
２０６    ミシン目
２０７    連結凸部
２０８    連結凹穴
２０９    凹穴
２２０    上下連結部材
２２１    係合凹部
２３０    左右連結部材
１０００    梱包陳列システム
１０００Ｌ，１０００Ｈ    梱包陳列システム
１１００    梱包陳列システム
１２００    梱包陳列システム
１３００    梱包陳列システム
１３００ａ，１３００ｂ    梱包陳列システム
２０００    梱包陳列システム
２０００Ｌ，２０００Ｈ    梱包陳列システム
ＡＧＴ    粘着テープ
ＳＴＰ    店頭陳列物品
ＴＣＭ    図柄
【図１】
2011207504.tif 000003
【図２】
2011207504.tif 000004
【図３】
2011207504.tif 000005
【図４】
2011207504.tif 000006
【図５】
2011207504.tif 000007
【図６】
2011207504.tif 000008
【図７】
2011207504.tif 000009
【図８】
2011207504.tif 000010
【図９】
2011207504.tif 000011
【図１０】
2011207504.tif 000012
【図１１】
2011207504.tif 000013
【図１２】
2011207504.tif 000014
【図１３】
2011207504.tif 000015
【図１４】
2011207504.tif 000016